(57)【特許請求の範囲】
【請求項１】
ブレースのターンバックルを締め付けるための工具であって、前記ターンバックルの空隙部の対向する内壁の一方側の内壁の下端縁ならびに他方側の内壁の上端縁に係合する自由端部を有する係合部材が、長尺の柄の先端部に前記長尺の柄に対し任意の角度位置に保持され得るように回動自在に軸着され、且つ前記係合部材の前記長尺の柄の長さ方向に対し直角をなす軸を中心とする回転運動が前記長尺の柄の上下方向への運動と連動して生じることを特徴とするブレース締め付け工具。
【請求項２】
前記係合部材の自由端部に、ターンバックルに対する位置ずれを防止する手段が設けられていることを特徴とする請求項１に記載のブレース締め付け工具。
【発明の詳細な説明】
【０００１】
【発明の属する技術分野】
この発明は、ブレースのターンバックルを締め付けるための工具に関する。
【０００２】
【従来の技術】
従来、建物の小屋梁等の高所に配設されたブレースのターンバックルを締め付ける際には、地面または床面からでは手が届かないため、脚立や内部足場の上に登り、適当な棒材をターンバックルの空隙部に挿入して該ターンバックルを回動させるか、あるいは手で直接ターンバックルを回動させるようにしている。
【０００３】
【発明が解決しようとする課題】
このため、上記作業には脚立や内部足場からの墜転落事故の可能性が伴うといった安全面での問題がある。
【０００４】
また、特に脚立を用いている場合には、別のブレースのターンバックルを締め付ける毎に脚立を昇り降りしなければならず、このため作業効率が良くないという問題もある。
【０００５】
この発明は、上記の点に鑑み、ブレースの締め付け作業を安全かつ効率よく行うことを可能とする工具を提供することを目的とする。
【０００６】
【課題を解決するための手段】
上記目的を達成するためになされたこの発明の請求項１に記載のブレース締め付け工具は、ブレースのターンバックルを締め付けるための工具であって、前記ターンバックルの空隙部の対向する内壁の一方側の内壁の下端縁ならびに他方側の内壁の上端縁に係合する自由端部を有する係合部材が、長尺の柄の先端部に前記長尺の柄に対し任意の角度位置に保持され得るように回動自在に軸着され、且つ前記係合部材の前記長尺の柄の長さ方向に対し直角をなす軸を中心とする回転運動が前記長尺の柄の上下方向への運動と連動して生じることを特徴とするものである。
【０００７】
また、この発明の請求項２に記載のブレース締め付け工具は、前記請求項１に記載のブレース締め付け工具において、前記係合部材の自由端部に、ターンバックルに対する位置ずれを防止する手段が設けられていることを特徴とするものである。
【０００９】
【発明の実施の形態】
以下、本発明の実施形態を図面に基づき具体的に説明する。図１には、本発明の一実施形態に係るブレース締め付け工具（以下、単に工具とも称す）が示されている。同図に示す工具１は、長尺の柄２の先端部に係合部材３が取り付けられた構成となっている。
【００１０】
柄２は、アルミニウム製の長尺の管材よりなり、下端にはゴム製のグリップ４が嵌着されている。柄２の長さは、成人の平均的な身長よりやや大きい程度となっているが、この長さは、地面上または床面上の作業者が該柄２の下端部を把持した状態で、高所にあるブレースのターンバックルに該柄２の上端部を容易に届かせ得る程度の長さであればよく、したがって施工現場の状況に応じて適宜設定することができる。また、長さの異なる柄を用いることにより、長さの異なる複数本の工具を調製しておいて、現場でこれらを使い分けるようにしてもよく、さらには、同一の係合部材３に上記複数本の柄を交換可能に取り付けるようにしてもよい。あるいは、入れ子構造等により柄を伸縮可能に構成し、現場で柄の長さを調節し得るようにしてもよい。
【００１１】
また、柄２の形状、材質、太さ等も特に限定されるものではないが、十分な剛性ならびに作業者が扱いやすい重量、形状およびサイズを有するものであることが望ましい。
【００１２】
係合部材３は、短尺の丸鋼よりなる棒材となっている。係合部材３の径は、ターンバックルの空隙部に挿入し得るものであればよいが、ここに示す例では、該空隙部に挿入したときに十分な余裕ができるようにやや細径に設定されており、これにより、係合部材３を該空隙部に対し斜方からでも挿入し得るとともに、該空隙部に容易に挿入し得るようになっている。
【００１３】
係合部材３の一方端部には、図２に示すように、２枚の略方形状（厳密には左下および右下の両端部を切り欠いた六角形状）の鋼製プレートよりなる小片５、５が、該係合部材３を両側から挟持するようにして溶接により接合されている。一方、前記柄２の内腔６の上端には、短尺の円柱形状を有する鋼製のジョイント部材７が嵌挿されている。柄２の上端近傍には、対向する周壁部を径方向に貫通する孔８が穿設され、ジョイント部材７の中間部には、上記柄２の孔８と同径であって該ジョイント部材７を径方向に貫通する孔（図示せず）が穿設されており、これらの孔の位置を合わせてスプリングピン９を挿通することにより、ジョイント部材７が柄２の上端部に固定されている。ジョイント部材７の上面には、方形状の鋼製プレートよりなる突片１０が溶接により垂設されている。前記係合部材３の端部に接合された小片５、５ならびに柄２の上端に接合された突片１０には、それぞれ厚さ方向に貫通するボルト挿通孔（図示せず）が穿設されており、これらボルト挿通孔の位置を合わせるようにして、小片５、５の間に突片１０が嵌挿され、この状態で、ボルト１１が一方の小片５の外側面との間にワッシャ１２を介在させるようにしてボルト挿通孔に挿通され、他方の小片５の外側面において、同様のワッシャ１２およびばね座金１３を介在させるようにしてナット１４で締結されている。突片１０には、前記ボルト挿通孔に交叉するようにして該突片１０を幅方向に貫通する孔１５が穿設されるとともに、ボルト１１の軸部には、該突片１０の孔１５に対応する位置に、該孔１５と同径であって該軸部を径方向に貫通する孔（図示せず）が穿設されており、これら孔にスプリングピン１６を挿通することにより、ボルト１１が突片１０に対し回動することを防止するようになっている。
【００１４】
上記のような取付構造とすることにより、係合部材３を、柄２の長さ方向に対し直角をなす軸（ボルト１１の軸）を中心として自在に回動させることができる。このとき、係合部材３は柄２に回動可能に取り付けられていればよいが、上記のようにばね座金１３を介在させてボルト１１をナット１４で締結するようにすることにより、係合部材３を柄２に対し任意の角度位置に保持され得るように軸着することができる。即ち、係合部材３は、例えば手で容易に回動させてその角度位置を任意に調節することができ、また後記するようにブレースの締め付け作業時に柄２の往復運動に伴って容易に回動することができるようになっているが、このように手などで外力が加えられていない状態では、該係合部材３の先端が例えば自重により降下したりすることなく一定の角度位置に保持されるようになっている。
【００１５】
係合部材３の他方端部（自由端部）の周面には、図１に示すように、ターンバックルに対する位置ずれを防止する手段として、該係合部材３の周方向に沿って延びる２本の溝１７、１７が設けられている。各溝１７、１７は、係合部材３の周面を丸く切り欠いたような部分円形の断面形状に形成されている。なお本発明においては、このような位置ずれ防止手段は必ずしも設けなくてもよいが、この位置ずれ防止手段により、後記するようにターンバックルの締め付けを行いやすくすることができる。
【００１６】
上記工具１を用いて高所にあるブレースの締め付け作業を行う際には、例えば以下の（１）〜（４）の要領で行うようにすればよい。
【００１７】
（１）まず、図３（ａ）に示すように、係合部材３を手で回動させて、柄２に対しやや鋭角をなすようにセットしておき、この状態で、柄２の下端のグリップ４を把持して係合部材３を上方に掲げ、該係合部材３の先端をやや斜め上方からブレースのターンバックル１８の空隙部に挿入し係合させる。
【００１８】
このとき、係合部材３は、前記したように柄２に対し任意の角度位置に保持され得るように軸着されているので、ここでは係合部材３を上記のように回動させて工具１を全体として鉤形状とし、この形状を保持した状態で、ターンバックル１８の空隙部に該係合部材３をフックのように掛止するようにして挿入することができ、したがってこの動作を容易に行うことができる。
【００１９】
なお係合部材３をターンバックル１８に挿入するとき、図４に示すように、ターンバックル１８の空隙部の対向する内壁の一方側の内壁の下端縁１８ａならびに他方側の内壁の上端縁１８ｂに、係合部材３の自由端部に設けられた外側の溝１７ａならびに内側の溝１７ｂをそれぞれ嵌合するようにする。
【００２０】
（２）ついで、図３（ｂ）に示すように、柄２を図中の矢印Ａ１で示す下方向に引き、これにより、ターンバックル１８を矢印Ａ２で示す一方向（締め付け方向）に回動させ、柄２と係合部材３とがほぼ同一直線上にくるまで柄２を引き下げる。
【００２１】
このとき、柄２の上下方向の運動（Ａ１）が、ターンバックル１８を中心とする係合部材３の回転運動（Ａ２）となり、これによりターンバックル１８が締め付けられる。即ち、係合部材３がクランク腕のように機能することにより、ターンバックル１８が締め付けられる。
【００２２】
またこのとき、前記したようにターンバックル１８の空隙部の端縁１８ａ、１８ｂに係合部材３の溝１７ａ、１７ｂを嵌合しているので、係合部材３が動作中にターンバックル１８に対し位置ずれしたり脱落したりといった不具合が生じ難い。
【００２３】
（３）ついで、図３（ｃ）に示すように、柄２を図中の矢印Ａ３で示す斜め上方向に押し出すようにして、ターンバックル１８を矢印Ａ４で示す締め付け方向に引き続き回動させて締め付ける。
【００２４】
このときにも、柄２の上下方向の運動（Ａ３）が、ターンバックル１８を中心とする係合部材３の回転運動（Ａ４）となり、これによりターンバックル１８が引き続き締め付けられる。
【００２５】
（４）この後、係合部材３をターンバックル１８から引き抜き、前記（１）〜（３）の手順を繰り返して、該ターンバックル１８を必要度数回動させその締め付けを完了する。
【００２６】
係合部材３をターンバックル１８から引き抜く際には、溝１７ａ、１７ｂが前記したように部分円形の断面形状に形成されているので、該溝１７ａ、１７ｂがターンバックル１８の空隙部の端縁１８ａ、１８ｂに引っ掛かり難く、したがって該係合部材３を引き抜きやすい。
【００２７】
なお、ターンバックル１８を弛緩させる場合は、前記（１）〜（４）の手順と同様の手順により、該ターンバックル１８を上記とは逆の方向に必要度数回動させるようにすればよい。
【００２８】
以上のように、上記工具１によれば、高所にあるブレースのターンバックル１８を、地面または床面から容易に締め付けることができる。したがって、脚立や内部足場の上に登って作業を行う必要がなく、安全に作業を進めることができる。
【００２９】
また、例えば別のブレースのターンバックルを締め付ける毎に脚立を昇り降りするといったことも不要となり、したがって作業効率を向上させることもできる。
【００３０】
上記ブレース締め付け工具１には、本発明の範囲内で様々な変更を加えることが可能である。例えば、ターンバックルが図５に示すようなボルト状のターンバックル２０である場合、前記棒状の係合部材３を、同図に示すようにレンチ状とした係合部材１９にかえ、このレンチ状の係合部材１９を該ボルト状のターンバックル２０に嵌着することにより係合させて締め付けるようにしてもよい。この場合、このレンチ状の係合部材１９を備えるブレース締め付け工具を別に調製するようにしてもよいが、例えば前記棒状の係合部材３とレンチ状の係合部材１９とを、同一の柄２に交換自在に取り付け得る構成としてもよい。
【００３１】
さらに、柄２と係合部材３との取付構造としても、前記のようなもの以外にも周知の取付構造が適用できる。
【００３２】
さらにまた、係合部材３の溝１７ａ、１７ｂにかえて、例えば図６に示すように、係合部材３の周方向に沿って延びる２本のリブ（リング状の突起）２１ａ、２１ｂを設け、ターンバックル１８の空隙部の端縁１８ａ、１８ｂにこのリブ２１ａ、２１ｂを係止させることにより、ターンバックル１８に対する係合部材３の位置ずれを防止するようにしてもよい。
【００３３】
【発明の効果】
以上のように、この発明の請求項１に記載のブレース締め付け工具によれば、ターンバックルに係合する係合部材を、長尺の柄の先端部に回動可能に取り付けるようにしたので、柄の下端を把持して係合部材を上方に掲げ、該係合部材を高所にあるブレースのターンバックルに係合させ、柄を上下方向に運動させることにより、ターンバックルを中心として係合部材を回転運動させることができ、これによってターンバックルを締め付けることができる。
【００３４】
したがって、高所のブレースのターンバックルを、地面または床面から容易に締め付けることができるので、脚立や内部足場の上に登って作業を行う必要がなく、安全に作業を進めることができる。また、例えば別のブレースのターンバックルを締め付ける毎に脚立を昇り降りするといったことも不要となるので、作業効率も向上する。
【００３５】
さらに加えて、この発明の請求項１に記載のブレース締め付け工具によれば、前記係合部材を、柄に対し任意の角度位置に保持され得るように軸着するようにしたので、係合部材を適宜回動させてブレース締め付け工具全体をターンバックルに係合させやすい鉤形状等の形状とし、この形状を保持した状態でターンバックルに該係合部材を係合させることができ、したがってこの動作を容易に行うことができる。
【００３６】
さらに加えて、この発明の請求項２に記載のブレース締め付け工具によれば、前記係合部材に、ターンバックルに対する位置ずれを防止する手段を設けるようにしたので、係合部材が動作中にターンバックルに対し位置ずれしたり脱落したりといった不具合が生じ難く、したがって作業が行いやすい。
【図面の簡単な説明】
【図１】実施形態に係るブレース締め付け工具を示す一部切欠側面図。
【図２】図１のブレース締め付け工具の柄と係合部材との取付部分を示す拡大図。
【図３】図１のブレース締め付け工具を用いたブレースの締め付け方法の一例を示す模式図。
【図４】図１のブレース締め付け工具の係合部材をターンバックルに挿入した状態を示す断面図。
【図５】係合部材の他の例を示す部分側面図。
【図６】ターンバックルに対する位置ずれ防止手段の他の例を示す側面図。
【符号の説明】
１  ブレース締め付け工具
２  柄
３  係合部材
１８  ターンバックル
【図１】
0003859855.tif 000002
【図２】
0003859855.tif 000003
【図３】
0003859855.tif 000004
【図４】
0003859855.tif 000005
【図５】
0003859855.tif 000006
【図６】
0003859855.tif 000007